(57)【要約】【課題】冷凍冷蔵庫の自動製氷装置に関するもので、離氷時に氷が製氷容器に残ってしまい貯氷箱に落下せず、貯氷できなくなるというのを未然に防止することを目的とする。【解決手段】モータ８の動作時間をカウントする離氷タイマ２７と、離氷タイマ２７のタイムアップを判定する離氷タイマ判定手段２８と、離氷方向とは逆に回転する時に捻りを加える逆捻り部２９とを有し、前記製氷容器を回転させ氷を貯氷箱に落下させる前に製氷容器を一定時間捻り方向に回転し、次に一定時間逆捻り方向に回転させてから捻り部まで回転させ製氷容器１と氷の密着性を弱めてから離氷を行うことにより離氷性を高めることができる。【選択図】図１
2005164197.tif 000002
【特許請求の範囲】
【請求項１】
製氷容器と前記製氷容器を回転させるモータで前記製氷容器を回転させ氷を落下させる離氷機構と、前記モータを制御するモータ制御手段と、前記モータを駆動するモータ駆動手段と、前記モータの動作時間をカウントする離氷タイマと、離氷タイマのタイムアップを判定する離氷タイマ判定手段と、離氷方向とは逆に回転する時に捻りを加える逆捻り部とを有し、前記製氷容器を回転させ氷を貯氷箱に落下させる前に製氷容器を一定時間捻り方向に回転し、次に一定時間逆捻り方向に回転させてから捻り部まで回転させ離氷を行う制御手段を備えた自動製氷装置。
【発明の詳細な説明】
【技術分野】
【０００１】
本発明は製氷完了後、自動的に製氷容器を回転させて離氷動作を行うようにした自動製氷装置に関するものである。
【背景技術】
【０００２】
近年、家庭用冷蔵庫の自動製氷装置としては、製氷容器内に水を給水する給水ポンプモータと、製氷容器の外底面に付設した製氷完了検知用の温度センサと、この温度センサによる検知温度が製氷完了温度（例えば―１２℃）以下になった時点で前記製氷容器を回転させて離氷動作を行なわせる離氷機構とを備えたものがある。（例えば、特許文献１参照）
以下その構成について図３から図４に従い説明する。
【０００３】
図３、図４を参照して、従来の自動製氷装置の構成について説明する。１は製氷容器で家庭用冷蔵庫に付設するような場合には冷凍室や冷凍温度（―１８℃）のもった独立した室に設置する。２は製氷容器１の外底面に付設した製氷完了検知用のサーミスタ３より製氷温度を検出する製氷温度検出手段である。４は給水タンクで、家庭用冷蔵庫に付設するような場合には、冷蔵室に設置する。５及び６は給水タンク４から製氷容器１に水を供給する給水パイプ及び給水ポンプモータである。７は製氷容器１を回転させて離氷動作を行なわせる離氷機構で、製氷容器１を回転させるモータ８と、回転する製氷容器１に捻りを加えて離氷させる捻り部９と、捻り完了を示すマイクロスイッチ等よりなる位置検出スイッチ１０と、製氷容器１の水平位置を示すマイクロスイッチ等よりなる水平位置検出スイッチ１１からなっている。又製氷容器１の下には、落下した氷を貯めておく貯氷箱１２が設置されている。
【０００４】
１３は製氷温度検出手段２により検出した温度が設定温度以下であるかを判定する製氷温度判定手段である。１４は製氷温度検出手段２の温度が設定温度Ｔ０以下になると時間をカウントする製氷タイマである。１５は製氷タイマ１４のタイムアップを判定する製氷タイマ判定手段である。１６は製氷タイマ判定手段１７と製氷温度判定手段１５の判定をもとに製氷の完了を判定する製氷完了判定手段である。１７は位置検出手段１８により検出した位置検出スイッチ１０の状態がＯＮであるかを判定する位置判定手段である。１９は水平位置検出手段２０により検出した水平位置検出スイッチ１１の状態がＯＮであるかを判定する水平位置判定手段である。２１は製氷完了判定手段１８が製氷完了を判定すると、位置検出手段１８と、水平位置検出手段２２の信号を受けてモータ８を制御するモータ制御手段である。２２はモータ制御手段２１によりモータ８を駆動するモータ駆動手段である。２３は給水ポンプモータ６が駆動している時間をカウントする給水タイマである。２４は給水タイマ２６のタイムアップを判定する給水タイマ判定手段である。２５は給水ポンプモータ６を給水タイマ２６により制御する給水ポンプモータ制御手段で、２６は給水ポンプモータ制御手段２５により、給水ポンプモータ６を駆動する給水ポンプモータ駆動手段である。
【０００５】
以上のように構成された製氷装置において、図４を参照しながら自動製氷動作の説明を行なう。
【０００６】
まず電源の投入によりステップ１０１で、水平位置検出スイッチ１１がＯＮしていれば、水平位置判定手段１９は製氷容器１が水平と判断し、ステップ１０２に進む、またステップ１０１で水平でないと判断した場合は、ステップ１０３に進みモータ制御手段２１によりモータ駆動手段２２はモータ８をＯＮさせ、ステップ１０１に戻る。
ステップ１０２では、モータ制御手段２１によりモータ駆動手段２２はモータ８をＯＦＦさせ、ステップ１０４に進む。ステップ１０４では製氷温度検知手段２がサーミスタ３の温度を検出し、製氷温度判定手段１３が設定温度Ｔ０と比較する。ここでサーミスタ３の温度が高いようならば、ステップ１０４で低くなるまで待機させる。ステップ１０４でサーミスタ３の温度が設定温度Ｔ０より低いと判断されると、ステップ１０５に進み製氷タイマ１４をスタートさせる。ステップ１０６では、製氷タイマ判定手段１５により製氷タイマ１６が所定時間に達しタイムアップするかを確認し、タイムアップしていなければ、ステップ１０６でタイムアップするまで待機する。ステップ１０６で製氷タイマ１４がタイムアップすれば、ステップ１０７に進む。ステップ１０７では、再度製氷温度検知手段２によりサーミスタ３の温度を検出し、製氷温度判定手段１３が別の設定温度Ｔ１と比較する。ステップ１０７でサーミスタ３の温度が高ければ、低くなるまでステップ１０７で待機し、逆にサーミスタ３の温度が低いようであれば、ステップ１０８に進む。尚設定温度Ｔ０とＴ１とは、Ｔ０＞Ｔ１の関係にある。ステップ１０８では、モータ制御手段２１により、モータ駆動手段２２はモータ８をＯＮさせ製氷容器１を回転させる。そして捻り部９で捻りを加えて氷を製氷容器１により離氷させる。よってステップ１０９にて位置検出スイッチ１０がＯＮし、位置判定手段１９は離氷が完了したと判断でき、ステップ１１０に進みモータ駆動手段２２は製氷容器１が水平になるまでモータ８を続いて動かし、ステップ１１０で水平位置スイッチ１１がＯＮ状態になるまで待つ。ステップ１０９及びステップ１１０で位置検出スイッチ１０と水平位置検出スイッチ１１が共にＯＮになるまでステップ１０９に戻る。ステップ１１０で水平位置検出スイッチ１１がＯＮになると、モータ制御手段２１は製氷容器１が水平と判断し、離氷が完了したと判断して、ステップ１１１にてモータ制御手段２１により、モータ駆動手段２２はモータ８を停止させる。ステップ１１２では空の製氷容器１に水を給水すべく給水ポンプモータ制御手段２５により、給水ポンプモータ駆動手段２６は給水ポンプモータ６を動作させるとともにステップ１１３では給水タイマ２３をスタートさせ、ステップ１１４で給水タイマ判定手段２４が所定時間に達しタイムアップするかを確認し、タイムアップするまで給水ポンプモータ駆動手段２６は給水ポンプモータ６を動作させる。ステップ１１４で給水タイマ２３がタイムアップすると、ステップ１１５で給水ポンプモータ制御手段２５により、給水ポンプモータ駆動手段２６は給水ポンプモータ６をＯＦＦさせる。以上にて給水が完了し製氷サイクルが終了し、再度ステップ１０４に進み、以降このサイクルを繰返し自動的に製氷を行なう。
【特許文献１】特開平３−２９１４７５号公報
【発明の開示】
【発明が解決しようとする課題】
【０００７】
しかしながら、このような構成では、離氷時に氷が製氷容器に残ってしまい貯氷箱に落下せず、貯氷できなくなるという問題点があった。
【０００８】
本発明は上記従来の課題を解決するもので、製氷容器を回転させ氷を貯氷箱に落下させる前に製氷容器を一定時間捻り方向に回転し、次に一定時間逆捻り方向に回転させてから捻り部まで回転させることにより製氷容器と氷の密着性を弱めて離氷性を高めた制御を行う自動製氷装置を提供するものである。
【課題を解決するための手段】
【０００９】
上記課題を解決するため、本発明の自動製氷装置は、製氷容器と前記製氷容器を回転させるモータで前記製氷容器を回転させ氷を落下させる離氷機構と、前記モータを制御するモータ制御手段と、前記モータを駆動するモータ駆動手段と、前記モータの動作時間をカウントする離氷タイマと、離氷タイマのタイムアップを判定する離氷タイマ判定手段と、離氷方向とは逆に回転する時に捻りを加える逆捻り部とを有し、前記製氷容器を回転させ氷を貯氷箱に落下させる前に製氷容器を一定時間捻り方向に回転し、次に一定時間逆捻り方向に回転させてから捻り部まで回転させ離氷を行う制御手段を備えたものであり、製氷容器を回転させ氷を貯氷箱に落下させる前に製氷容器を一定時間捻り方向に回転し、次に一定時間逆捻り方向に回転させてから捻り部まで回転させることにより製氷容器と氷の密着性を弱めてから離氷を行う。
【発明の効果】
【００１０】
本発明の自動製氷装置によれば、製氷容器と前記製氷容器を回転させるモータで前記製氷容器を回転させ氷を落下させる離氷機構と、前記モータを制御するモータ制御手段と、前記モータを駆動するモータ駆動手段と、前記モータの動作時間をカウントする離氷タイマと、離氷タイマのタイムアップを判定する離氷タイマ判定手段と、離氷方向とは逆に回転する時に捻りを加える逆捻り部とを有し、前記製氷容器を回転させ氷を貯氷箱に落下させる前に製氷容器を一定時間捻り方向に回転し、次に一定時間逆捻り方向に回転させてから捻り部まで回転させ離氷を行う制御手段を備えたことにより、離氷信頼性を高めることができる。
【発明を実施するための最良の形態】
【００１１】
請求項１に記載の自動製氷装置の発明は、製氷容器と前記製氷容器を回転させるモータで前記製氷容器を回転させ氷を落下させる離氷機構と、前記モータを制御するモータ制御手段と、前記モータを駆動するモータ駆動手段と、前記モータの動作時間をカウントする離氷タイマと、離氷タイマのタイムアップを判定する離氷タイマ判定手段と、離氷方向とは逆に回転する時に捻りを加える逆捻り部とを有し、前記製氷容器を回転させ氷を貯氷箱に落下させる前に製氷容器を一定時間捻り方向に回転し、次に一定時間逆捻り方向に回転させてから捻り部まで回転させ離氷を行う制御手段を備えたものであり、製氷容器を回転させ氷を貯氷箱に落下させる前に製氷容器を一定時間捻り方向に回転し、次に一定時間逆捻り方向に回転させてから捻り部まで回転させることにより製氷容器と氷の密着性を弱めてから離氷を行う。
【００１２】
以下、本発明の実施の形態について、図面を参照しながら説明する。なお、従来と同一構成については、同一符号を付して詳細な説明を省略する。また、この実施の形態によってこの発明が限定されるものではない。
【００１３】
（実施の形態１）
図１は本発明の実施例を示す自動製氷装置付き冷蔵庫のブロック図、図２は動作を示すフローチャートであり、以下図１、図２を参照しながら説明する。なお、従来と同一部分については同一符号を付し詳細な説明を省略する。
【００１４】
図１において、２７はモータ８が動作している時間をカウントする離氷タイマである。２８は離氷タイマ２７のタイムアップを判定する離氷タイマ判定手段である。２９は離氷方向とは逆に回転する時に捻りを加える逆捻り部である。
【００１５】
以上のように構成された製氷装置において、図２を参照しながら動作説明を行う。ここで、ステップ１０１からステップ１０７までは従来の自動製氷動作と同じである。
【００１６】
ステップ１０７で、サーミスタ３の温度が低ければ、ステップ２０１に進む。  ステップ２０１では、モータ制御手段２１により、モータ駆動手段２２はモータ８をＯＮさせ製氷容器１を回転させるとともにステップ２０２では離氷タイマ２７をスタートさせ、ステップ２０３で離氷タイマ判定手段２８が所定時間に達しタイムアップするかを確認し、タイムアップするまでモータ駆動手段２２はモータ８を動作させる。ステップ２０３で離氷タイマ２７がタイムアップすると、ステップ２０４でモータ制御手段２１により、モータ駆動手段２２はモータ８を逆捻り方向にＯＮさせ、製氷容器１を逆捻りさせるとともにステップ２０５では離氷タイマ２７をスタートさせ、ステップ２０６で離氷タイマ判定手段２８が所定時間に達しタイムアップするかを確認し、タイムアップするまでモータ駆動手段２２はモータ８を動作させる。そして逆捻り部２９で捻りを加える。ステップ２０６で離氷タイマ２７がタイムアップすると、ステップ２０７でモータ制御手段２１により、モータ駆動手段２２はモータ８を捻り方向にＯＮさせ、製氷容器１を回転させ、ステップ１０９に進む。ステップ１０９からステップ１１５までは従来の自動製氷動作と同じである。ステップ１１５からは再度ステップ１０４に進み、以降このサイクルを繰り返す。
【００１７】
以上のように本実施の形態によれば、離氷時、製氷容器を回転させ氷を貯氷箱に落下させる前に製氷容器を一定時間捻り方向に回転し、次に一定時間逆捻り方向に回転させてから捻り部まで回転させることにより製氷容器と氷の密着性を弱めてから離氷を行うことにより、氷が製氷容器に残ってしまい貯氷箱に落下せず、貯氷できなくなるということを未然に防止することができ、離氷信頼性を高めることができる。
【産業上の利用可能性】
【００１８】
以上のように、本発明にかかる自動製氷装置は、離氷モータを制御して離氷信頼性を高めることができ、自動製氷装置を備えた冷蔵庫などの適用製品にも有効に利用できる。
【図面の簡単な説明】
【００１９】
【図１】本発明の実施の形態１の自動製氷装置のブロック図
【図２】同実施の形態の自動製氷装置のフローチャート
【図３】従来の自動製氷装置のブロック図
【図４】従来の自動製氷装置のフローチャート
【符号の説明】
【００２０】
１    製氷容器
７    離氷機構
８    モータ
２１    モータ制御手段
２２    モータ駆動手段
２７    離氷タイマ
２８    離氷タイマ判定手段
２９    逆捻り部
【図１】
2005164197.tif 000003
【図２】
2005164197.tif 000004
【図３】
2005164197.tif 000005
【図４】
2005164197.tif 000006